(57)【要約】【課題】気流が案内羽根により案内される際に発生する騒音を低減することができる案内羽根、及びこれを備えた空気調和機を提供する。【解決手段】可動式のフラップ７０は、気流の上流側に設けられる端部である前縁側端部７０ａと、気流の下流側に設けられる端部である後縁側端部７０ｂとを備え、前縁側端部７０ａに、気流の方向に沿って延びる上面７１を膨らませて形成された膨出部７３が設けられて、室内機の空気吹出口に設けられる。膨出部７３が設けられた前縁側端部７０ａには切り欠き部７４が形成されて、この切り欠き部７４における前縁側端部７０ａの翼厚が、膨出部７３における前縁側端部７０ａの翼厚に比べて小さくなっている。【選択図】図９
2010286173.tif 000002
【特許請求の範囲】
【請求項１】
気流の上流側に設けられる端部である前縁側端部と、前記気流の下流側に設けられる端部である後縁側端部とを備え、前記前縁側端部に、前記気流の方向に沿って延びる表面を膨らませて形成された膨出部が設けられて、空気調和機の空気吹出口に設けられる可動式の案内羽根であって、
前記膨出部が設けられた前記前縁側端部には切り欠き部が形成されて、この切り欠き部における前記前縁側端部の翼厚が、前記膨出部における前記前縁側端部の翼厚に比べて小さくなっている
ことを特徴とする案内羽根。
【請求項２】
前記気流の方向に沿った断面において、前記切り欠き部における翼厚が、前記前縁側端部から前記気流の下流側へ向かうにつれて徐々に大きくなっていることを特徴とする請求項１に記載の案内羽根。
【請求項３】
前記切り欠き部における前記前縁側端部の前縁は、Ｖ字状であることを特徴とする請求項１または請求項２に記載の案内羽根。
【請求項４】
前記前縁がＶ字状に形成された前記切り欠き部は、前記気流の下流側へ最も深く切り欠かれた最深部を有しており、
前記気流の方向に垂直な断面において、前記切り欠き部における翼厚が、前記最深部に向かうにつれて徐々に小さくなっていることを特徴とする請求項３に記載の案内羽根。
【請求項５】
前記表面として、上方に向けて設けられる上面及び下方に向けて設けられる下面を有し、
前記膨出部は、前記上面を膨らませて形成されていることを特徴とする請求項１乃至請求項４のいずれか一項に記載の案内羽根。
【請求項６】
前記切り欠き部において、前記上面が窪んでいることを特徴とする請求項５に記載の案内羽根。
【請求項７】
前記表面として、互いに反対の方向に向けて設けられる第１の表面及び第２の表面を有し、
前記膨出部は、前記第１の表面及び前記第２の表面のうちいずれか一方を膨らませて形成されており、前記切り欠き部において、前記第１の表面及び前記第２の表面のうちいずれか一方が窪んでいることを特徴とする請求項１乃至請求項４のいずれか一項に記載の案内羽根。
【請求項８】
前記表面として、互いに反対の方向に向けて設けられる第１の表面及び第２の表面を有し、
前記膨出部として、前記第１の表面を膨らませて形成された第１の膨出部と、前記第２の表面を膨らませて形成された第２の膨出部とが設けられていることを特徴とする請求項１乃至請求項４のいずれか一項に記載の案内羽根。
【請求項９】
前記切り欠き部において、前記第１の表面と前記第２の表面とが窪んでいることを特徴とする請求項８に記載の案内羽根。
【請求項１０】
前記切り欠き部は、所定間隔を空けて前記前縁側端部に複数形成されていることを特徴とする請求項１乃至請求項９のいずれか一項に記載の案内羽根。
【請求項１１】
請求項１乃至請求項１０のいずれか一項に記載の案内羽根を備えることを特徴とする空気調和機。
【発明の詳細な説明】
【技術分野】
【０００１】
本願発明は、空気調和機の空気吹出口に設けられる可動式の案内羽根、及びこれを備えた空気調和機に関するものである。
【背景技術】
【０００２】
空気調和機である空気調和装置の室内機は、ケーシング内に熱交換器と送風機とを有しており、熱交換器を通過して温度が調整された空気（即ち、調和空気）が、送風機により室内機の外部である室内に送風される構成となっている。そして、一般的に、空気調和装置の室内機は、調和空気を室内の所望の方向へ向けて送風するために、空気吹出口に可動式の案内羽根を備えている。
【０００３】
可動式の案内羽根は、電動モータ等により駆動されることによって、その取り付け角が変化するため、送風機から送風される調和空気の気流を所望の方向へ案内することができる。具体的には、可動式の案内羽根により、例えば、気流を水平方向へ案内することや、気流を下方へ案内することができる。
【０００４】
また、案内羽根に流れる気流が剥離することを抑制するために、案内羽根の前縁側端部に、案内羽根の表面を膨らませて形成された膨出部を設けることが知られている（例えば、特許文献１参照）。特許文献１には、ベーンの上流側が膨らみ肉厚となることにより、流れの剥離を生じにくくすることが記載されている。
【先行技術文献】
【特許文献】
【０００５】
【特許文献１】特開２００８−９６０３７号公報
【発明の概要】
【発明が解決しようとする課題】
【０００６】
ところで、可動式の案内羽根は、案内羽根の取り付け角が変化することによって、一定の方向だけでなく、所望の方向に向けて気流を案内することができるが、上述の膨出部により騒音が発生するという問題があった。具体的には、例えば、下方へ気流を案内する場合には案内羽根の表面である上面を膨らませて膨出部が形成されるが、水平方向へ気流を案内するように案内羽根の取り付け角が変化すると、上面を膨らませて形成された膨出部が空気通路をふさぐ形になるため、膨出部に気流が衝突しやすく、騒音が発生するという問題があった。
【０００７】
本発明は、こうした実情に鑑みてなされたものであり、その目的は、気流が案内羽根により案内される際に発生する騒音を低減することができる案内羽根、及びこれを備えた空気調和機を提供することにある。
【課題を解決するための手段】
【０００８】
請求項１に記載の発明は、気流の上流側に設けられる端部である前縁側端部と、気流の下流側に設けられる端部である後縁側端部とを備え、前縁側端部に、気流の方向に沿って延びる表面を膨らませて形成された膨出部が設けられて、空気調和装置の空気吹出口に設けられる可動式の案内羽根であって、膨出部が設けられた前縁側端部には切り欠き部が形成されて、この切り欠き部における前縁側端部の翼厚が、膨出部における前縁側端部の翼厚に比べて小さくなっていることを特徴とする。
【０００９】
同構成によれば、膨出部が設けられた前縁側端部には切り欠き部が形成されて、この切り欠き部における前縁側端部の翼厚が、膨出部における前縁側端部の翼厚に比べて小さくなっている。このため、気流の一部が、切り欠き部に流れて案内羽根の表面に沿った流れの気流となる。従って、膨出部における翼厚に比べて小さい翼厚を有する切り欠き部に気流が流入するため、膨出部と気流が衝突することを緩和することができ、気流が案内羽根により案内される際に発生する騒音を低減することができる。
【００１０】
請求項２に記載の発明は、請求項１に記載の案内羽根であって、気流の方向に沿った断面において、切り欠き部における翼厚が、前縁側端部から気流の下流側へ向かうにつれて徐々に大きくなっていることを特徴とする。
【００１１】
同構成によれば、気流の方向に沿った断面において、切り欠き部における翼厚が、前縁側端部から気流の下流側へ向かうにつれて徐々に大きくなっているため、切り欠き部において前縁側端部から気流の下流側へ流れる気流を、なだらかな気流とすることができる。
【００１２】
請求項３に記載の発明は、請求項１または請求項２に記載の案内羽根であって、切り欠き部における前縁側端部の前縁は、Ｖ字状であることを特徴とする。
同構成によれば、切り欠き部における前縁側端部の前縁は、Ｖ字状であるため、切り欠き部が、気流の下流側へ最も深く切り欠かれた最深部を有するように構成することができ、この最深部へ、気流を容易に導くことが可能となる。
【００１３】
請求項４に記載の発明は、請求項３に記載の案内羽根であって、前縁がＶ字状に形成された切り欠き部は、気流の下流側へ最も深く切り欠かれた最深部を有しており、気流の方向に垂直な断面において、切り欠き部における翼厚が、最深部に向かうにつれて徐々に小さくなっていることを特徴とする。
【００１４】
同構成によれば、気流の方向に垂直な断面において、切り欠き部における翼厚が、Ｖ字状の切り欠き部が有する最深部に向かうにつれて徐々に小さくなっているため、切り欠き部に流れる気流を、切り欠き部の最深部へ容易に導くことができ、さらに、最深部へ導かれる気流を、なだらかな気流とすることができる。
【００１５】
請求項５に記載の発明は、請求項１乃至請求項４のいずれか一項に記載の案内羽根であって、表面として、上方に向けて設けられる上面及び下方に向けて設けられる下面を有し、膨出部は、前記上面を膨らませて形成されていることを特徴とする。
【００１６】
同構成によれば、膨出部は、案内羽根の上面を膨らませて形成されている。このため、上方に向けて膨らんだ膨出部により、案内羽根に流れる気流が、案内羽根の上面から剥離することを抑制することができる。従って、気流が下方に向けて流れるように案内羽根が配設されたときに、気流が案内羽根の上面から剥離することを抑制して、下方へ流れる気流を遠くまで到達させることができる。
【００１７】
請求項６に記載の発明は、請求項５に記載の案内羽根であって、切り欠き部において、上面が窪んでいることを特徴とする。
同構成によれば、切り欠き部において、案内羽根の上面が窪んでいるため、切り欠き部における前縁側端部の翼厚を、膨出部における前縁側端部の翼厚に比べて小さくする場合に、案内羽根の下面を窪ませることが不要となる。従って、案内羽根の下面の面積を確保することができ、案内羽根の下面によって気流を下方へ容易に案内することができる。
【００１８】
請求項７に記載の発明は、請求項１乃至請求項４のいずれか一項に記載の案内羽根であって、表面として、互いに反対の方向に向けて設けられる第１の表面及び第２の表面を有し、膨出部は、第１の表面及び第２の表面のうちいずれか一方を膨らませて形成されており、切り欠き部において、第１の表面及び第２の表面のうちいずれか一方が窪んでいることを特徴とする。
【００１９】
同構成によれば、膨出部は、第１の表面及び第２の表面のうちいずれか一方を膨らませて形成されているため、膨出部により、案内羽根に流れる気流が、案内羽根の第１の表面及び第２の表面のうちいずれか一方から剥離することを抑制することができる。そして、切り欠き部において、第１の表面及び第２の表面のうちいずれか一方の表面が窪んでいるため、切り欠き部における前縁側端部の翼厚を、膨出部における前縁側端部の翼厚に比べて小さくする場合に、案内羽根の他方の表面を窪ませることが不要となる。従って、案内羽根の他方の表面の面積を確保することができ、案内羽根の他方の表面によって気流を他方の表面が向く方向へ容易に案内することができる。
【００２０】
請求項８に記載の発明は、請求項１乃至請求項４のいずれか一項に記載の案内羽根であって、表面として、互いに反対の方向に向けて設けられる第１の表面及び第２の表面を有し、膨出部として、第１の表面を膨らませて形成された第１の膨出部と、第２の表面を膨らませて形成された第２の膨出部とが設けられていることを特徴とする。
【００２１】
同構成によれば、膨出部として、第１の表面を膨らませて形成された第１の膨出部と、第２の表面を膨らませて形成された第２の膨出部とが設けられている。このため、第１の表面（例えば、上面）が膨らんだ第１の膨出部により、案内羽根に流れる気流が、案内羽根の第１の表面から剥離することを抑制することができる。また、第２の表面（例えば、下面）が膨らんだ第２の膨出部により、案内羽根に流れる気流が、案内羽根の第２の表面から剥離することを抑制することができる。従って、気流が第１の表面及び第２の表面の少なくとも一方の表面から剥離することを抑制して、可動式の案内羽根により気流の向きが変化する場合であっても、所望の方向へ流れる気流を遠くまで到達させることができる。
【００２２】
請求項９に記載の発明は、請求項８に記載の案内羽根であって、切り欠き部において、第１の表面と第２の表面とが窪んでいることを特徴とする。
同構成によれば、切り欠き部において、互いに反対の方向に向けて設けられる第１の表面と第２の表面とが窪んでいる。このため、互いに反対の方向に向けて設けられる表面を膨らませた第１の膨出部と第２の膨出部とが設けられている場合に、案内羽根の第１の表面側の形状と、案内羽根の第２の表面側の形状とを同じように構成して、切り欠き部における前縁側端部の翼厚を、膨出部における前縁側端部の翼厚に比べて小さくすることができる。
【００２３】
請求項１０に記載の発明は、請求項１乃至請求項９のいずれか一項に記載の案内羽根であって、切り欠き部は、所定間隔を空けて前縁側端部に複数形成されていることを特徴とする。
【００２４】
同構成によれば、切り欠き部は、所定間隔を空けて前縁側端部に複数形成されているため、複数の前縁側端部の間に形成される膨出部により、気流が案内羽根の表面から剥離することを抑制することができる。そして、複数の切り欠き部付近において、膨出部と気流が衝突することを緩和することができ、気流が案内羽根により案内される際に発生する騒音をより低減することができる。
【００２５】
請求項１１に記載の発明は、請求項１乃至請求項１０のいずれか一項に記載の案内羽根を備えることを特徴とする。
同構成によれば、空気調和機は、請求項１乃至請求項１０のいずれか一項に記載の案内羽根を備えているため、請求項１乃至請求項１０のいずれか一項に記載の案内羽根と同様の効果を得ることができる。
【発明の効果】
【００２６】
本発明によれば、膨出部と気流が衝突することを緩和することができ、気流が案内羽根により案内される際に発生する騒音を低減することができる。
【図面の簡単な説明】
【００２７】
【図１】本発明の実施形態に係る空気調和装置の室内機を説明するための斜視図であって、運転停止時における室内機の斜視図。
【図２】同実施形態に係る空気調和装置の室内機を説明するための斜視図であって、運転時における室内機の斜視図。
【図３】同実施形態に係る空気調和装置の室内機の内部構造を示す断面図であって、同室内機の内部構成を示す概略構成図。
【図４】同実施形態に係る風向調整装置を説明するための図。
【図５】（ａ）（ｂ）同実施形態に係る風向調整装置を説明するための図であって、可動式の案内羽根を説明するための図。
【図６】同実施形態に係る案内羽根を示す側面図であって、気流の方向に垂直な方向から案内羽根を見た図。
【図７】同実施形態に係る案内羽根を示す斜視図。
【図８】同実施形態に係る案内羽根を示す図であって、気流の上流側から案内羽根を見た図。
【図９】同実施形態に係る案内羽根を示す平面図。
【図１０】図９に示すＳ１−Ｓ１部分の断面を示す断面図。
【図１１】図９に示すＳ２−Ｓ２部分の断面を示す断面図。
【図１２】図９に示すＳ３−Ｓ３部分の断面を示す断面図。
【図１３】図９に示すＳ４−Ｓ４部分の断面を示す断面図。
【図１４】図９に示すＳ５−Ｓ５部分の断面を示す断面図。
【図１５】本発明の実施形態に係る案内羽根の効果を説明するためのグラフ。
【図１６】同実施形態に係る案内羽根の効果を説明するためのグラフ。
【図１７】本発明の実施形態の変形例に係る案内羽根を示す側面図。
【図１８】（ａ）（ｂ）同変形例に係る可動式の案内羽根を説明するための図。
【図１９】同変形例に係る案内羽根の断面図であって、気流の方向に沿った断面において切り欠き部を含む断面図。
【図２０】同変形例に係る案内羽根の断面図であって、気流の方向に沿った断面において膨出部を含む断面図。
【発明を実施するための形態】
【００２８】
以下、本発明の各実施形態について、図面を参照しながら説明する。
図１及び図２に示すように、本実施形態に係る空気調和装置の室内機１は、壁掛け型または床置き型の室内に設けられる空気調和機である。室内機１は、室内機１の筐体であるケーシング１０と、ケーシング１０の空気吸込口１１を覆うように設けられる吸込側前面パネル２１と、ケーシング１０の空気吹出口１２を覆うように設けられる吹出側前面パネル２２とを備えている。
【００２９】
本実施形態においては、室内機１は、送風機としての遠心ファン３０（図２及び図３参照）を２つ備えており、図３中の一点鎖線で示す各遠心ファン３０の回転中心に対応させて、２つの空気吸込口１１がケーシング１０に設けられている。また、各遠心ファン３０の遠心方向の両側において、空気吸込口１１と同じ方向に開口する２つの空気吹出口１２がケーシング１０に設けられており、空気吹出口１２として両端空気吹出口１２ａと中央空気吹出口１２ｂとが設けられている。従って、本実施形態の室内機１のケーシング１０には、２つの空気吸込口１１と３つの空気吹出口１２とが設けられている。
【００３０】
図２に示すように、室内機１は、図２中の矢印Ａ１で示すように空気吸込口１１から室内の空気を吸い込む。そして、室内機１は、吸い込んだ空気の温度をケーシング１０内で調整し、温度が調整された空気である調和空気を、図２中の矢印Ａ２で示すように空気吹出口１２から室内へ吹き出す。
【００３１】
空気吸込口１１を覆うように設けられる吸込側前面パネル２１は、図１に示すように、室内機１の運転停止時には空気吸込口１１が露出しないように設けられる。そして、吸込側前面パネル２１は、図２に示すように、室内機１の運転時には図示しない電動モータにより駆動されて、空気吸込口１１が開口するように設けられる。
【００３２】
また、吸込側前面パネル２１には、空気吸込口１１が開口するように吸込側前面パネル２１を駆動するための板状の駆動部材２１ａが接続されている。駆動部材２１ａは上記の電動モータに接続されており、この駆動部材２１ａが図２中の矢印Ａ３で示す方向に駆動することによって、吸込側前面パネル２１が平行移動する構成となっている。また、本実施形態においては、板状の駆動部材２１ａは、ケーシング１０外において空気を吸い込む空間と空気を吹き出す空間とを区切る隔壁として構成されている。
【００３３】
吸込側前面パネル２１と同様に、空気吹出口１２を覆うように設けられる吹出側前面パネル２２は、図１に示すように、室内機１の運転停止時には空気吹出口１２が露出しないように設けられる。そして、吹出側前面パネル２２は、図２に示すように、室内機１の運転時には図示しない電動モータにより駆動されて、空気吹出口１２が開口するように設けられる。
【００３４】
また、図３に示すように、室内機１は、ケーシング１０内に、空気吸込口１１から空気を吸い込んで空気吹出口１２から空気を吹き出すための遠心ファン３０と、遠心ファン３０により送風される空気の温度を調整する熱交換器４０と、過冷却熱交換器５０と、空気吹出口１２において設けられた風向調整装置６０とを備えている。なお、図３は、ケーシング１０を断面で示すことによって、室内機１の内部構成を示す図である。
【００３５】
遠心ファン３０は、羽根車（不図示）が回転することにより、その回転中心から遠心方向へ送風するターボファンである。遠心ファン３０が、空気吸込口１１から吸い込まれた空気を、遠心ファン３０の遠心方向の両側へ送風することにより、空気吹出口１２から空気が吹き出される。
【００３６】
熱交換器４０は、室内機１の暖房運転時に凝縮器として作用し、室内機１の冷房運転時に蒸発器として作用する機器であり、各遠心ファン３０の遠心方向の両側に設けられている。熱交換器４０を、遠心ファン３０によって送風された空気が通過することにより、その空気の温度が調整される。熱交換器４０を通過した空気である調和空気は、空気吹出口１２に導かれる。
【００３７】
過冷却熱交換器５０は、室内機１の暖房運転時において熱交換器４０で凝縮液化した液冷媒を過冷却するための熱交換器であって、熱交換器４０に付設されている。なお、この過冷却熱交換器５０は、必ずしも必要ではなく、省略して構成してもよい。
【００３８】
図４及び図５に示すように、風向調整装置６０は、駆動源である電動モータ６１と、電動モータ６１に接続された回転板６２と、回転板６２に接続されて鉛直方向に延びる連結板６３と、連結板６３に接続されたフラップ７０とにより構成されている。
【００３９】
回転板６２にはピン６２ａが設けられており、連結板６３にはピン６２ａと係合する係合溝６３ａが設けられている。従って、電動モータ６１を用いてピン６２ａが設けられた回転板６２を回転させることにより、連結板６３が鉛直方向に変位する。また、鉛直方向に延びる連結板６３には、複数のフラップ７０と係合するために鉛直方向において所定間隔をあけて係合溝６３ｂが形成されている。
【００４０】
略平板状のフラップ７０は、室内機１の空気吹出口１２に設けられる可動式の案内羽根である。各フラップ７０は、同フラップ７０を駆動させるための回動部８０が設けられており、フラップ７０と回動部８０とは一体的に形成されている。
【００４１】
回動部８０には、略平板状のフラップ７０から突出して設けられている。回動部８０の先端部８１には、連結板６３の係合溝６３ｂと係合する係合ピン８２が設けられている。そして、回動部８０には、貫通孔８３が形成されており、この貫通孔８３には図示しない軸部材が挿通される。従って、連結板６３が鉛直方向に変位することに伴い、回動部８０の先端部８１が鉛直方向に変位して、貫通孔８３内の軸部材が支点となって、回動部８０が回動する構成となっている。
【００４２】
可動式のフラップ７０は、回動部８０が回動することによって、水平方向に対して、所望の取り付け角度で配設されるように構成されており、フラップ７０により所望の方向に向けて気流を案内することができる。本実施形態においては、フラップ７０は、図５（ａ）に示すように水平方向に向けて、または図５（ｂ）に示すように斜め下方に向けて気流を案内するように配設される。
【００４３】
次にフラップ７０の具体的構成について説明する。
図６に示すように、フラップ７０は、空気吹出口１２での空気の流れる方向（即ち、気流の方向）において、気流の上流側に設けられる端部である前縁側端部７０ａと、気流の下流側に設けられる端部である後縁側端部７０ｂとを備えている。そして、所定の厚みをもって形成されたフラップ７０は、上方に向けて設けられる上面７１と、下方に向けて設けられる下面７２とを有している。上下（即ち、鉛直方向）に向けて設けられた上面７１及び下面７２は、鉛直方向に直交する水平方向に延びている。
【００４４】
そして、フラップ７０の前縁側端部７０ａには、気流の方向に沿って延びる表面である上面７１及び下面７２のうち、上面７１を膨らませて形成された膨出部７３が設けられている。このような膨出部７３により、図５（ｂ）に示すようにフラップ７０が斜め下方に向けて気流を案内するように配設された場合には、上面７１から気流が剥離することを抑制することができる。なお、本実施形態においては、下面７２は膨らんで形成されておらず、平面として形成されており、上面７１の膨出部７３が設けられていない部分は、下面７２と同様に平面として形成されている。
【００４５】
ここで、本実施形態においては、図７及び図８に示すように、膨出部７３が設けられた前縁側端部７０ａに切り欠き部７４が形成されている。そして、図１０及び図１１に示すように、切り欠き部７４における前縁側端部７０ａの翼厚Ｔ１が、膨出部７３における前縁側端部７０ａの翼厚Ｔ２に比べて小さくなっていることに特徴がある。以下、フラップ７０の特徴に係る構成を詳しく説明する。
【００４６】
本実施形態においては、前縁側端部７０ａには、気流の方向に垂直な方向であるフラップ７０の長手方向において、所定間隔をあけて切り欠き７４ａが形成されることにより、所定間隔をあけて複数の切り欠き部７４が設けられている。従って、図９に示すように、フラップ７０は、切り欠き部７４に隣り合う一部として、切り欠き７４ａが形成されていない基本形状部７５が設けられている。
【００４７】
フラップ７０を上方から見た図である図９に示すように、基本形状部７５における前縁側端部７０ａの前縁７０Ａと、後縁側端部７０ｂの後縁７０Ｂとは、直線状に形成されている。これに対して、切り欠き部７４における前縁側端部７０ａの前縁７０Ａは、Ｖ字状に形成されており、Ｖ字状の切り欠き７４ａが上方に向かうにつれて徐々に大きくなるように切り欠き部７４が形成されている。即ち、切り欠き７４ａは、下面７２側に比べて上面７１側が大きい。なお、切り欠き部７４において、フラップ７０を上方及び下方のいずれから見ても前縁７０ＡがＶ字状となるように、上面７１及び下面７２の前縁側端部７０ａが切り欠かれている。
【００４８】
図９のＳ１−Ｓ１部分の断面図である図１０に示すように、切り欠き部７４における翼厚Ｔ１は、前縁側端部７０ａから気流の下流側へ向かうにつれて徐々に大きくなるように変化している。これに対して、図９のＳ２−Ｓ２部分の断面図である図１１に示すように、基本形状部７５における翼厚Ｔ２、即ち切り欠き７４ａが形成されていない膨出部７３における翼厚Ｔ２は、膨出部７３における上面７１に沿って変化している。即ち、膨出部７３における上面７１は膨らんでいるが、切り欠き部７４における上面７１は、フラップ７０が気流の上流側に向かうにつれて徐々に薄くなるように窪んでいる。なお、切り欠き部７４に形成された切り欠き７４ａよりも気流の下流側においては、膨出部７３と同様に上面７１が膨らんで形成されている。
【００４９】
図１０及び図１１に示すように、切り欠き部７４における翼厚Ｔ１は膨出部７３における翼厚Ｔ２に比べて薄くなっている。なお、図１０及び図１１は、気流の方向に沿った断面を示す断面図であって、図１０中の矢印で示す翼厚Ｔ１と、図１１中の矢印で示す翼厚Ｔ２は、図１４に示すように気流の方向に垂直な同一の断面における翼厚である。
【００５０】
また、前縁７０ＡがＶ字状に形成された切り欠き部７４は、気流の下流側へ最も深く切り欠かれた最深部７６（図９参照）を有している。そして、図１２乃至図１４の各図に示すように、切り欠き部７４における翼厚Ｔ１が、最深部７６に向かうにつれて徐々に小さくなっている。なお、図１２は、図９のＳ３−Ｓ３部分の断面図であり、図１３は、図９のＳ４−Ｓ４部分の断面図である。また、図１４は、図９のＳ５−Ｓ５部分の断面図であり、図１２乃至図１４の各図は、気流の方向に垂直な断面を示す断面図である。なお、切り欠き部７４において下面７２は切り欠かれているため、図１２に示すように、気流の方向に垂直な断面において下面７２は必ずしも連続しない。
【００５１】
以上のように構成されたフラップ７０が、図５（ａ）に示すように水平方向に向けて気流を案内するように配設された場合には、図１０及び図１２における矢印Ｆで示すように気流の一部が、切り欠き部７４に流れてフラップ７０の表面である上面７１に沿った流れの気流となる。また、切り欠き部７４付近の膨出部７３に流れようとする気流を、切り欠き部７４に引き寄せることができる。その結果、膨出部７３と気流が衝突することを緩和して、図１５及び図１６に示すように、送風音を小さくすることができる。
【００５２】
ここで、図１５は、案内羽根が気流を案内する際に発生する送風音について、周波数解析を行った結果を示す図であり、周波数特性グラフである。図１５のグラフにおいて、本実施形態のフラップ７０により発生した送風音の周波数解析結果が実線で示され、切り欠き７４ａが形成されずに切り欠き部７４が設けられていないフラップ（不図示）により発生した送風音の周波数解析結果が一点鎖線で示されている。図１５に示すように、切り欠き部７４が設けられている場合は、送風音が発生する周波数帯域の略全体に亘って送風音は小さくなり、また、ピーク周波数において送風音が小さくなることが判る。
【００５３】
また、図１６は、案内羽根が気流を案内する際に発生する送風音について、風量との関係を示す風量−音圧特性グラフである。図１６のグラフにおいて、本実施形態のフラップ７０により発生する送風音の音圧ＳＰＬ（Ａ）が実線で示され、切り欠き７４ａが形成されずに切り欠き部７４が設けられていないフラップにより発生する送風音の音圧ＳＰＬ（Ａ）が一点鎖線で示されている。図１６に示すように、切り欠き部７４が設けられている場合は、幅広い風量域において送風音が小さくなり、大きな静音化を達成できることが判る。
【００５４】
また、前縁側端部７０ａの切り欠き部７４に流れる気流により縦渦（不図示）の発生を図ることができる。このような縦渦を発生させることにより、乱流混合が促進されて気流の剥離の抑制を図ることができる。
【００５５】
本実施形態のフラップ７０によれば、以下の効果を奏することができる。
（１）フラップ７０は、気流の上流側に設けられる端部である前縁側端部７０ａと、気流の下流側に設けられる端部である後縁側端部７０ｂとを備え、前縁側端部７０ａに、気流の方向に沿って延びる上面７１を膨らませて形成された膨出部７３が設けられて、室内機１の空気吹出口１２に設けられる。そして、膨出部７３が設けられた前縁側端部７０ａには切り欠き部７４が形成されて、この切り欠き部７４における前縁側端部７０ａの翼厚Ｔ１が、膨出部７３における前縁側端部７０ａの翼厚Ｔ２に比べて小さくなっている。このため、気流の一部が、切り欠き部７４に流れてフラップ７０の表面である上面７１に沿った流れの気流となる。従って、膨出部７３における翼厚Ｔ２に比べて小さい翼厚Ｔ１を有する切り欠き部７４に気流が流入するため、膨出部７３と気流が衝突することを緩和することができ、気流がフラップ７０により案内される際に発生する騒音を低減することができる。
【００５６】
（２）図１０で示す気流の方向に沿った断面において、切り欠き部７４における翼厚Ｔ１が、前縁側端部７０ａから気流の下流側へ向かうにつれて徐々に大きくなっている。このため、切り欠き部７４において前縁側端部７０ａから気流の下流側へ流れる気流を、なだらかな気流とすることができる。
【００５７】
（３）図９で示すように、切り欠き部７４における前縁側端部７０ａの前縁７０Ａは、Ｖ字状である。このため、切り欠き部７４が、気流の下流側へ最も深く切り欠かれた最深部７６を有するように構成することができ、この最深部７６へ、気流を容易に導くことが可能となる。
【００５８】
（４）前縁７０ＡがＶ字状に形成された切り欠き部７４は、気流の下流側へ最も深く切り欠かれた最深部７６を有しており、図１２乃至図１４で示す気流の方向に垂直な断面において、切り欠き部７４における翼厚Ｔ１が、最深部７６に向かうにつれて徐々に小さくなっている。このため、切り欠き部７４に流れる気流を、切り欠き部７４の最深部７６へ容易に導くことができ、さらに、最深部７６へ導かれる気流を、なだらかな気流とすることができる。
【００５９】
（５）フラップ７０は、気流の方向に沿って延びる表面として、上方に向けて設けられる上面７１及び下方に向けて設けられる下面７２を有し、膨出部７３は、上面７１を膨らませて形成されている。このため、上方に向けて膨らんだ膨出部７３により、フラップ７０に流れる気流が、フラップ７０の上面７１から剥離することを抑制することができる。従って、気流が下方に向けて流れるようにフラップ７０が配設されたときに、気流がフラップ７０の上面７１から剥離することを抑制して、下方へ流れる気流を遠くまで到達させることができる。その結果、床への気流の到達性を向上させることができる。
【００６０】
（６）切り欠き部７４において、上面７１が窪んでいるため、切り欠き部７４における前縁側端部７０ａの翼厚Ｔ１を、膨出部７３における前縁側端部７０ａの翼厚Ｔ２に比べて小さくする場合に、フラップ７０の下面７２を窪ませることが不要となる。従って、フラップ７０の下面７２の面積を確保することができ、フラップ７０の下面７２によって気流を下方へ容易に案内することができる。
【００６１】
（７）切り欠き部７４は、所定間隔を空けて前縁側端部７０ａに複数形成されているため、複数の前縁側端部７０ａの間に形成される膨出部７３である基本形状部７５により、気流がフラップ７０の表面から剥離することを抑制することができる。そして、複数の切り欠き部７４付近において、膨出部７３と気流が衝突することを緩和することができ、気流がフラップ７０により案内される際に発生する騒音をより低減することができる。
【００６２】
また、本実施形態の空気調和装置の室内機１は、上記（１）〜（７）の効果を得ることがフラップ７０を備えている。このため、上記（１）〜（７）と同様の効果を得ることができる。
【００６３】
なお、本発明は、上記各実施形態に限定されるものではなく、本発明の趣旨に基づいて種々の設計変更をすることが可能であり、それらを本発明の範囲から除外するものではない。例えば、上記実施形態を以下のように変更してもよい。
【００６４】
・上記実施形態においては、フラップ７０に回動部８０が一体的に形成されていたが、電動モータ等により取り付け角を変化させるようにフラップ７０を駆動することができるのであれば、フラップ７０に回動部８０が一体的に形成されていなくてもよい。
【００６５】
・上記実施形態においては、気流の方向に沿って延びる表面は、上方に向けて設けられる上面７１と下方に向けて設けられる下面７２であったが、気流の方向に沿って延びる表面は、上下に向けて設けられるものに限られず、例えば、鉛直方向に延ばして水平方向に向けて設けられてもよい。即ち、案内羽根が、気流の方向に沿って延びる表面として、互いに反対の方向に向けて設けられる第１の表面及び第２の表面とを有し、第１の表面及び第２の表面が水平方向に向けて設けられていてもよい。このように構成されていても、膨出部が、第１の表面及び第２の表面のいずれか一方を膨らませて形成されていれば、膨出部により、案内羽根に流れる気流が、案内羽根の第１の表面及び第２の表面のうちいずれか一方から剥離することを抑制することができる。また、このような案内羽根の前縁側端部に切り欠き部が設けられている場合に、その切り欠き部において第１の表面及び第２の表面のうちいずれか一方が窪んでいれば、切り欠き部における前縁側端部の翼厚を、膨出部における前縁側端部の翼厚に比べて小さくする場合に、案内羽根の他方の表面を窪ませることが不要となる。従って、案内羽根の他方の表面の面積を確保することができ、案内羽根の他方の表面によって気流を他方の表面が向く方向へ容易に案内することができる。
【００６６】
・上記実施形態においては、気流の方向に沿って延びる上面７１及び下面７２のうち上面７１を膨らませて膨出部７３が形成されていたが、さらに、下面７２を膨らませて膨出部７３を形成してもよい。また、このようにして案内羽根の両面に膨出部７３が形成される場合においても、上述のごとく、気流の方向に沿って延びるとともに膨らんで形成された表面は、上下に向けて設けられるものに限られず、例えば、鉛直方向に延ばして水平方向に向けて設けられてもよい。
【００６７】
例えば、図１７に示すように、フラップ７０が、気流の方向に沿って形成された表面として、矢印Ｄ１で示す方向に向けて設けられる第１の表面９１と、矢印Ｄ２で示す方向に向けて設けられる第２の表面９２とを有し、膨出部７３として、第１の表面９１を膨らませて形成された第１の膨出部９３ａと、第２の表面９２を膨らませて形成された第２の膨出部９３ｂとが設けられるように構成されていてもよい。
【００６８】
このように第１の膨出部９３ａ及び第２の膨出部９３ｂが設けられていれば、図１８（ａ）に示すように、前縁側端部７０ａに比べて後縁側端部７０ｂが、矢印Ｄ２で示す方向に設けられた場合には、第１の表面９１が膨らんだ第１の膨出部９３ａにより、矢印Ｄ３で示す方向に流れる気流が、フラップ７０の第１の表面９１から剥離することを抑制することができる。また、図１８（ｂ）に示すように、前縁側端部７０ａに比べて後縁側端部７０ｂが、矢印Ｄ１で示す方向に設けられた場合には、第２の表面９２が膨らんだ第２の膨出部９３ｂにより、矢印Ｄ３で示す方向に流れる気流が、フラップ７０の第２の表面９２から剥離することを抑制することができる。従って、気流が第１の表面９１及び第２の表面９２の少なくとも一方の表面から剥離することを抑制して、可動式のフラップ７０により気流の向きが変化する場合であっても、所望の方向へ流れる気流を遠くまで到達させることができる。具体的には、例えば、第１の表面９１が、上方に向けて設けられる上面であって、第２の表面９２が、下方に向けて設けられる下面であるときに、フラップ７０が気流を下方へ案内するように設けられた場合には、気流が上面である第１の表面９１から剥離することを抑制して、下方へ流れる気流を遠くまで到達させることができる。また、フラップ７０が気流を上方へ案内するように設けられた場合には、気流が下面である第２の表面９２から剥離することを抑制して、上方へ流れる気流を遠くまで到達させることができる。また、フラップ７０が水平方向において気流の向きを変化させる場合には、所望の水平方向へ流れる気流を遠くまで到達させることができる。
【００６９】
・そして、互いに反対の方向に向けて設けられる表面として第１の表面９１及び第２の表面９２を有している場合において、図１９に示すように、前縁側端部７０ａに切り欠き部７４が形成されていてもよい。このような構成であっても、図１９及び図２０に示すように、切り欠き部７４における前縁側端部７０ａの翼厚Ｔ１が、膨出部７３における前縁側端部７０ａの翼厚Ｔ２に比べて小さくなっていれば、上記（１）の効果を得ることができる。
【００７０】
・また、互いに反対の方向に向けて設けられる表面として第１の表面９１及び第２の表面９２を有している場合に、図１９に示すように、切り欠き部７４において、第１の表面９１と第２の表面９２とが窪むように構成してもよい。切り欠き部７４において、互いに反対の方向に向けて設けられる第１の表面９１と第２の表面９２とが窪んでいれば、互いに反対の方向に向けて設けられる表面を膨らませた第１の膨出部９３ａと第２の膨出部９３ｂとが設けられている場合に、フラップ７０の第１の表面９１側の形状と、フラップ７０の第２の表面９２側の形状とを同じように構成して、切り欠き部７４における前縁側端部７０ａの翼厚Ｔ１を、膨出部７３における前縁側端部７０ａの翼厚Ｔ２に比べて小さくすることができる。
【符号の説明】
【００７１】
１…室内機（空気調和機）、１０…ケーシング、１１…空気吸込口、１２…空気吹出口、１２ａ…両端空気吹出口、１２ｂ…中央空気吹出口、２１…吸込側前面パネル、２１ａ…駆動部材、２２…吹出側前面パネル、３０…遠心ファン、４０…熱交換器、５０…過冷却熱交換器、６０…風向調整装置、６１…電動モータ、６２…回転板、６２ａ…ピン、６３…連結板、６３ａ，６３ｂ…係合溝、７０…フラップ（案内羽根）、７０ａ…前縁側端部、７０Ａ…前縁、７０ｂ…後縁側端部、７０Ｂ…後縁、７１…上面（表面）、７２…下面（表面）、７３…膨出部、７４…切り欠き部、７４ａ…切り欠き、７５…基本形状部、７６…最深部、８０…回動部、８１…先端部、８２…係合ピン、８３…貫通孔、９１…第１の表面、９２…第２の表面、９３ａ…第１の膨出部、９３ｂ…第２の膨出部。
【図１】
2010286173.tif 000003
【図２】
2010286173.tif 000004
【図３】
2010286173.tif 000005
【図４】
2010286173.tif 000006
【図５】
2010286173.tif 000007
【図６】
2010286173.tif 000008
【図７】
2010286173.tif 000009
【図８】
2010286173.tif 000010
【図９】
2010286173.tif 000011
【図１０】
2010286173.tif 000012
【図１１】
2010286173.tif 000013
【図１２】
2010286173.tif 000014
【図１３】
2010286173.tif 000015
【図１４】
2010286173.tif 000016
【図１５】
2010286173.tif 000017
【図１６】
2010286173.tif 000018
【図１７】
2010286173.tif 000019
【図１８】
2010286173.tif 000020
【図１９】
2010286173.tif 000021
【図２０】
2010286173.tif 000022